(57)【要約】      （修正有）【課題】ミルクやその他のものを良好に置くことができるベビーベッドを提供する。【解決手段】左右の側枠２，３と、前枠４と、後枠５が、平面視長方形状に組み合わされたベビーベッド１において、左右の側枠２，３，前枠４，後枠５のうち少なくとも何れか一つに、外側へ略水平に突出するテーブル８を設けて構成する。テーブル８の上桟３ａ側には立ち上げて別体の取付板９が固定されて一体化されており、この取付板９を右側枠３の上桟３ａの外面側に当接させて、内側から前記目孔６ａ，６ｂ内にそれぞれボルトを通し、このボルトを取付板９に予め埋設されているナットに締め付けることで、取付板９を介しテーブル８を右側枠３の上端の上桟３ａの外側面にボルトで強固に固定することができる。【選択図】図２
0003185439.tif 000002
【実用新案登録請求の範囲】
【請求項１】
左右の側枠と、前枠と、後枠が、平面視長方形状に組み合わされてなるベビーベッドにおいて、
前記左右の側枠，前枠，後枠のうち少なくとも何れか一つに、外側へ略水平に突出するテーブルを設けた
ことを特徴とするベビーベッド。
【請求項２】
前記テーブルを前記側枠の上端の上桟に固定した請求項１に記載のベビーベッド。
【請求項３】
前記テーブルを前記上桟の外側面にボルトで固定した請求項２に記載のベビーベッド。
【請求項４】
前記テーブルの裏面に凹状に溝を設け、該溝を前記左右の側枠，前枠，後枠のうち何れかの上端の上桟に嵌合させて、該上桟に前記テーブルを取り付けたことを特徴とする請求項１に記載のベビーベッド。
【考案の詳細な説明】
【技術分野】
【０００１】
本考案は、ベビーベッドに関するものである。
【背景技術】
【０００２】
従来、特許文献１に開示されているようなベビーベッドが存在する。
【先行技術文献】
【特許文献】
【０００３】
【特許文献１】特開２００１−１９０３６７号公報
【考案の概要】
【考案が解決しようとする課題】
【０００４】
上記特許文献１に開示されているようなベビーベッドにおいて、ベビーベッド内に入っている乳幼児がミルクを飲んだり食事等をする際に、ミルク等を置く場所がなく、不便であるという問題点があった。
【課題を解決するための手段】
【０００５】
本考案は、ミルクや食事等を容易に置いておくことのできるベビーベッドの提供を目的とし、この目的の少なくとも一部を達成するために以下の手段を採った。
本考案は、左右の側枠と、前枠と、後枠が、平面視長方形状に組み合わされてなるベビーベッドにおいて、前記左右の側枠，前枠，後枠のうち少なくとも何れか一つに、外側へ略水平に突出するテーブルを設けたことを要旨とする。
【考案の効果】
【０００６】
本考案のベビーベッドでは、左右の側枠，前枠，後枠のうち少なくとも何れか一つにテーブルが設けられているため、このテーブル上にミルクや食事等を置くことができ、ベビーベッド内に入っている乳幼児が容易にミルクを飲んだり食事をすることができるものとなる。
【０００７】
また、本考案のベビーベッドにおいて、前記テーブルを前記側枠の上端の上桟に固定したものとすることもできる。
こうすれば、テーブル上にミルク等を置き、ベビーベッド内の乳幼児に容易にミルク等を与えることができるものとなる。
【０００８】
また、本考案のベビーベッドにおいて、前記テーブルを前記上桟の外側面にボルトで固定したものとすることもできる。
こうすれば、テーブルを側枠の上端の上桟にボルトで強固に固定して取り付けることができ、テーブルの取り付け強度が向上して、重いものでもテーブル上に置くことができるものとなる。
【０００９】
また、本考案のベビーベッドにおいて、前記テーブルの裏面に凹状に溝を設け、該溝を前記左右の側枠，前枠，後枠のうち何れかの上端の上桟に嵌合させて、該上桟に前記テーブルを取り付けたものとすることもできる。
こうすれば、テーブルの裏面に形成した溝を上桟に嵌合させて、テーブルを容易に側枠，前枠，後枠の何れかの上端に取り付けできるものとなる。
【図面の簡単な説明】
【００１０】
【図１】ベビーベッドの右側枠側から見た斜視構成図である。
【図２】ベビーベッドの右側枠にテーブルを固定した状態の斜視構成図である。
【図３】異なる形状のベビーベッドの右側枠の上桟にテーブルを取り付けた状態の斜視構成図である。
【図４】異なる形状のベビーベッドの前枠の上桟にテーブルを取り付けた状態の斜視構成図である。
【考案を実施するための形態】
【００１１】
次に、本考案を実施するための形態を実施例を用いて説明する。
図１は、ベビーベッドの一例を示す斜視構成図である。
ベビーベッド１は、左側枠２と右側枠３が平行に立設され、その左側枠２と右側枠３の前端側を連結する前枠４が設けられ、また、左側枠２と右側枠３の後端側を連結する後枠５が設けられて、左右の側枠２，３と前枠４と後枠５が平面視長方形状に組み合わされて構成されている。
【００１２】
左側枠２は、上端に水平状に上桟２ａが設けられ、この上桟２ａから前後方向に間隔をおいて複数の立ち木２ｂ，２ｂが垂設されて枠状に形成されている。また、右側枠３も同様に、上端に上桟３ａが配置され、この上桟３ａから複数の立ち木３ｂ，３ｂが垂設されて枠状に形成されている。
また、前枠４の上端には水平に上桟４ａが配置され、この上桟４ａから垂下状に複数の立ち木４ｂ，４ｂが設けられている。同様に、後枠５も上端に水平に上桟５ａが配置され、上桟５ａから複数の立ち木５ｂ，５ｂが垂設されて枠状に形成されている。
【００１３】
このように平面視長方形状に組み合わされたベビーベッド１には、内部の下方側に底板７が設けられており、この底板７上に乳幼児が入れられるものである。
左側枠２と右側枠３の上桟２ａ，３ａは、それぞれ前後方向中央が上方へ山形に盛り上げられた山形形状に形成されている。この山形形状の中央部に、前後一対の目孔６ａ，６ｂと、この目孔６ａ，６ｂの中央下方に、前後端が上方へ湾曲した口孔６ｃが貫通状に形成されており、この一対の目孔６ａ，６ｂと１個の口孔６ｃにより人の顔状の模様が形成されている。
【００１４】
図２は、図１における右側枠３の上桟３ａに、外側へ水平に突出してテーブル８を取り付けた状態を示すものである。
テーブル８の上桟３ａ側には立ち上げて別体の取付板９が固定されて一体化されており、この取付板９を右側枠３の上桟３ａの外面側に当接させて、内側から前記目孔６ａ，６ｂ内にそれぞれボルトを通し、このボルトを取付板９に予め埋設されているナットに締め付けることで、取付板９を介しテーブル８を右側枠３の上端の上桟３ａの外側面にボルトで強固に固定することができるものである。
【００１５】
このように固定したテーブル８上にはミルクや食事を入れた食器等を置くことができ、底板７上で乳幼児が立ち上がると、このテーブル８上に置いてあるミルクや食事等に良好に手が届くものである。
なお、母親等がテーブル８上に置いたミルクや食事等を良好にベビーベッド１内の乳幼児に与えることもでき、その他、テーブル８上には乳幼児の必需品等を任意に置くことができるものである。なお、このテーブル８は、略水平に外側へ突出する棚状のものであっても良い。
【００１６】
また、テーブル８の裏面には、下側を開放した凹状の溝８ａを前端側から後端側に貫通状に形成させておくことができ、このようにテーブル８の裏面に凹状に横方向へ延びる溝８ａを形成させておけば、図３および図４に示すような形状のベビーベッド１の側枠２，３，前枠４，後枠５の何れにも、取付板９を必要とせず、容易にテーブル８を取り付けできるものとなる。
【００１７】
即ち、図３および図４に示すベビーベッド１は、左側枠２の上端の上桟２ａが平板状に形成されたものであり、同様に右側枠３の上端の上桟３ａも平板状であり、前枠４の上端の上桟４ａも平板状であり、後枠５の上端の上桟５ａも平板状に形成されたものである。
この各上桟２ａ，３ａ，４ａ，５ａに対し上方側からテーブル８の裏面に形成されている溝８ａを嵌合させて、テーブル８を何れかの上桟２ａ，３ａ，４ａ，５ａに取り付けることができる。
【００１８】
図３では、側枠３の上端の上桟３ａにテーブル８の裏面の溝８ａを嵌合させて、上桟３ａ上にテーブル８を取り付けたものである。
なお、この場合、より取付状態を安定化させるために、テーブル８の裏面には垂下状に間隔をおいて一対の垂下板１０ａ，１０ｂを固設しておき、この一対の垂下板１０ａ，１０ｂ間に水平に当接横バー１１を設けておけば、テーブル８の溝８ａを右側枠３の上桟３ａ上に嵌合させた時に、当接横バー１１が右側枠３を構成する複数本の立ち木３ｂ，３ｂの外面にほぼ当接状態となり、テーブル８が安定して取り付けられるものである。
即ち、溝８ａが上桟３ａに嵌まり込んだ時に当接横バー１１が立ち木３ｂ，３ｂの外側に当接するような位置に、前記垂下板１０ａ，１０ｂが配置されている。
【００１９】
なお、図４では、前枠４の上端の上桟４ａ上にテーブル８の溝８ａを嵌合させ、当接横バー１１を前枠４を構成する複数本の立ち木４ｂ，４ｂの外面に当接させて、テーブル８を前枠４に取り付けた状態を示すものである。
このように溝８ａがテーブル８の裏面に形成されていれば、容易に着脱して、側枠２，３，前枠４，後枠５の何れかを選択してテーブル８を取り付けできるものである。
【００２０】
取付状態では、テーブル８上面に物を置いても、当接横バー１１が立ち木３ｂ，４ｂに当接しているためテーブル８が傾くことがなく、テーブル８の取り付け強度が良好に確保されるものである。
【符号の説明】
【００２１】
１  ベビーベッド
２  左側枠
２ａ  上桟
２ｂ  立ち木
３  右側枠
３ａ  上桟
３ｂ  立ち木
４  前枠
４ａ  上桟
４ｂ  立ち木
５  後枠
５ａ  上桟
５ｂ  立ち木
６ａ，６ｂ  目孔
６ｃ  口孔
７  底板
８  テーブル
８ａ  溝
９  取付板
１０ａ，１０ｂ  垂下板
１１  当接横バー
【図１】
0003185439.tif 000003
【図２】
0003185439.tif 000004
【図３】
0003185439.tif 000005
【図４】
0003185439.tif 000006